(57)【要約】【目的】消費電力を抑えつつ広輝度範囲、高コントラストの表示を行うことが可能で、高精細化に適したプラズマディスプレイパネルの駆動方法を提供する。【解決手段】行電極間に複数のサスティンパルスを表示ライン毎に印加して線順次走査を行うと共に、表示ライン毎に表示データに基づいて選択する列電極へアドレス電圧を印加するサスティンステップを含み、上記サスティンステップは、ｍ個のサスティンパルスからなる第１サスティン期間及びｎ個のサスティンンパルスからなる第２サスティン期間から構成され、当該第１サスティン期間において列電極には放電禁止電圧が印加されるとともに、サスティンパルスの電圧振幅を変化させることを特徴としている。【選択図】図８
2008197174.tif 000002
【特許請求の範囲】
【請求項１】
放電空間を介して互いに対向する前面基板及び背面基板と、前記前面基板の内面に配置され各々が表示ラインを構成する複数の行電極対と、前記背面基板の内面に前記行電極対と交差する方向に配列され前記行電極対との各交差位置に表示セルを構成する複数の列電極と、を備えたプラズマディスプレイパネルの駆動方法であって、
前記行電極対を構成する前記行電極間に複数のサスティンパルスを表示ライン毎に印加して線順次走査を行うと共に、表示ライン毎に表示データに基づいて選択する列電極へアドレス電圧を印加するサスティンステップを含み、
前記サスティンステップは、ｍ個のサスティンパルスからなる第１サスティン期間及びｎ個（ｍ，ｎは０以上の整数）のサスティンンパルスからなる第２サスティン期間から構成され、
前記第１サスティン期間において前記列電極には放電禁止電圧が印加されるとともに、前記サスティンステップにおけるサスティンパルスの電圧振幅を変化させることを特徴とする駆動方法。
【請求項２】
前記サスティンステップにおけるサスティンパルスの電圧振幅を単調に減少させることを特徴とする請求項１記載の駆動方法。
【請求項３】
前記第２サスティン期間において放電強度を調整する放電強度調整電圧が前記列電極に印加されることを特徴とする請求項１記載の駆動方法。
【請求項４】
前記サスティンパルスの振幅は放電開始電圧以下まで単調減少していることを特徴とする請求項２に記載の駆動方法。
【請求項５】
前記サスティンパルスの振幅はｐ個（ｐは０以上の整数）のサスティンパルス毎に変化していることを特徴とする請求項２に記載の駆動方法。
【発明の詳細な説明】
【技術分野】
【０００１】
本発明は、面放電方式交流型プラズマディスプレイ装置の駆動方法に関する。
【背景技術】
【０００２】
プラズマディスプレイパネル（以下、ＰＤＰともいう。）は大型の薄型ディスプレイとして、優れた性能を有している。
【０００３】
図１は従来のプラズマディスプレイ装置のパネル構造を模式的に表わしている（特許文献１参照）。図１はパネルの構成を説明するために前面基板と背面基板に分解した分解斜視図である。
【０００４】
図１のプラズマディスプレイパネルは、背面基板４とこれに放電空間を介して互いに対向する前面基板とが平行に貼り合わされて、形成される。背面基板４の前面側には、各々が列方向に延びかつ行方向に並設された複数の列電極Ｄが設けられ、その上に列電極保護層５が形成される。そして、前面基板の背面側には、各々が行方向に延びかつ列方向に並設された複数の行電極対が設けられる。
【０００５】
図１に示すように、背面基板４の列電極保護層５上には、行方向に並設された各列電極Ｄの間の位置において列方向に延びる縦隔壁と行方向に延びる横隔壁との結合によって略格子状（井形）に成形された隔壁６が形成されている。
【０００６】
そして、この略格子形状の隔壁６によって、列電極及び行電極対の交差位置に単位発光領域を構成するように、方形室として放電セルＣが区画されている。
【０００７】
かかるプラズマディスプレイパネルは、これまで主に、ディスプレイサイズが３０インチを超える大型のパネルが製造されていた。近年、プラズマディスプレイパネルを従来のような大型のパネルだけではなく、２６インチ位の中型で、いわゆるフルＨＤ（High Definition）クラスの高精細のディスプレイにも用いることが検討されている。
【０００８】
しかしながら、放電セルサイズを微細化すると、例えばセルサイズが１００μｍ以下となった場合には、放電セルＣが狭くなりすぎ、放電空間が縮小し、発光効率が著しく低下してしまうといった問題があった。これは単位放電セルのサイズが小さくなると、プラズマの陽光柱（陰極と陽極との間の空間のプラズマ）が充分に大きくとれなくなり、その結果、輝度の低下や発光効率の低下を招いてしまうからである。
【特許文献１】特開２００２−１９７９８１
【発明の開示】
【発明が解決しようとする課題】
【０００９】
本発明は上記した点に鑑みてなされたものであって、その目的とするところは、消費電力を抑えつつ広輝度範囲、高コントラストの表示を行うことが可能で、高精細化に適したプラズマディスプレイパネルの駆動方法を提供することが一例として挙げられる。
【課題を解決するための手段】
【００１０】
本発明によるプラズマディスプレイパネルの駆動方法は、放電空間を介して互いに対向する前面基板及び背面基板と、前記前面基板の内面に配置され各々が表示ラインを構成する複数の行電極対と、前記背面基板の内面に前記行電極対と交差する方向に配列され前記行電極対との各交差位置に表示セルを構成する複数の列電極と、を備えたプラズマディスプレイパネルの駆動方法であって、
前記行電極対を構成する前記行電極間に複数のサスティンパルスを表示ライン毎に印加して線順次走査を行うと共に、表示ライン毎に表示データに基づいて選択する列電極へアドレス電圧を印加するサスティンステップを含み、
前記サスティンステップは、ｍ個のサスティンパルスからなる第１サスティン期間及びｎ個（ｍ，ｎは０以上の整数）のサスティンンパルスからなる第２サスティン期間から構成され、
前記第１サスティン期間において前記列電極には放電禁止電圧が印加されるとともに、前記サスティンステップにおけるサスティンパルスの電圧振幅を変化させることを特徴としている。
【００１１】
また、上記プラズマディスプレイパネルの駆動方法において、サスティンステップにおけるサスティンパルスの電圧振幅を単調に減少させることを特徴としている。
【００１２】
また、上記プラズマディスプレイパネルの駆動方法において、上記第２サスティン期間において放電強度を調整する放電強度調整電圧が列電極に印加されることを特徴としている。
【発明の実施するための最良の形態】
【００１３】
以下、本発明の実施形態を、図を参照しつつ説明する。
【実施例１】
【００１４】
図２〜図５は本実施形態のプラズマディスプレイ装置のパネル構造を表わしている。図２はパネルの構成を模式的に表す斜視図、図３はパネルを前面基板と背面基板に分解した分解斜視図、図４は図２のＡ１−Ａ１線における断面図、図５は図２のＢ１−Ｂ１線における断面図である。
【００１５】
図２に示すように、表示面であるガラスからなる前面基板１の背面に、複数の行電極対Ｘ，Ｙが、ガラスからなる前面基板１の行方向（図２の左右方向）に延びるように平行に配列されている。
【００１６】
行電極Ｘは、前面基板１の行方向に延びる金属膜からなる帯状の共通バス電極部Ｋｂと、この共通バス電極部Ｋｂに沿って等間隔に並設されてその幅狭の基端部が共通バス電極部Ｋｂに接続されたＩＴＯなどの透明導電膜からなるＴ字形状の透明電極部Ｋａとによって構成されている。
【００１７】
行電極Ｙも同様に、前面基板１の行方向に延びる金属膜からなる帯状の共通バス電極部Ｋｂと、この共通バス電極部Ｋｂに沿って等間隔に並設されてその幅狭の基端部が共通バス電極部Ｋｂに接続されたＩＴＯなどの透明導電膜からなるＴ字形状の透明電極部Ｋａ（バス電極部から列方向に突出する突出部）とによって構成されている。
【００１８】
この行電極ＸとＹは、前面基板１の列方向（行方向に直交する方向）に交互に配列されて、２本の共通バス電極部Ｋｂに沿って並設された透明電極部Ｋａが、互いに対となる相手の行電極側に延びて、互いの透明電極部Ｋａのそれぞれの幅広の頂辺が、それぞれ所要の幅の放電ギャップを介して互いに対向されている。行電極Ｙにおいて行電極Ｘの反対側に隣接する行電極にも行電極対を構成するように、透明電極部Ｋａが高密度で並列されている。すなわち、行電極の列方向両側に透明電極部Ｋａが設けられている。
【００１９】
図２に示すように、前面基板１の背面側の行電極対Ｘ，Ｙの上には、これらを被覆する誘電体層２が形成されている。
【００２０】
誘電体層２の背面側には、誘電体層２から背面側に放電空間へ突出する帯状の嵩上げ誘電体層（以下、誘電体突出部ともいう。）２Ａが、バス電極部Ｋｂ上に平行に形成されている。そして、この誘電体層２と誘電体突出部２Ａの背面側には、ＭｇＯからなる保護層３が形成されている。
【００２１】
一方、前面基板１と放電空間を介して平行に配置される背面基板４の前面基板１と対向する面（表示側の面）の下側には、列電極Ｄ（アドレス電極）が、それぞれ各行電極対Ｘ，Ｙの互いに対になっている透明電極部Ｋａに対向する位置において列方向に延びるように、等間隔に並設されている。
【００２２】
背面基板４の表示側の面上には、さらに、列電極保護層５（誘電体層）が形成されて、列電極Ｄを被覆している。
【００２３】
図２〜図５に示したプラズマディスプレイのパネル構造において、前面基板１上の誘電体突出部２Ａには行方向にだけ横隔壁１６が形成されていて、列方向には隔壁は形成されていない。これにより行電極対Ｘ，Ｙの電極間放電時のプラズマの行方向の断面積を広くとることができる。すなわち、横隔壁１６により放電空間から仕切られ各々が行方向に延びる複数の行放電空間（行セル）が得られる。前面基板１のバス電極部Ｋｂ上に横隔壁１６が形成されることにより、製造中の前面基板及び背面基板の貼り合わせ工程において位置ずれ精度が向上する。背面基板側に横隔壁を設けた場合、横隔壁とバス電極部と位置合わせが必要である。
【００２４】
また、背面基板上にはＲＧＢ各色ごとの放電セルの放電領域を区分するための縦壁１５Ａが列方向に形成されている。縦壁１５Ａの高さは蛍光体を塗り分けるのに必要な高さで放電領域の区分に必要な最低限の高さで約２０μｍ位である。このように、縦壁１５Ａは、単位発光領域に区分しかつ列方向に延び前面基板（保護層３）に達しない高さを有している。
【００２５】
そして、２つの横隔壁１６により挟まれた行放電空間内の放電セルの各々の選択は、図２〜図５に示される列電極Ｄに印加されるアドレス電圧及び放電禁止電圧（後述する）によって制御される。
【００２６】
各放電セルＣに面する縦壁１５Ａの各側面と列電極保護層５の表面には、これらの三つの面を覆うように、各放電セルＣ毎に赤（Ｒ），緑（Ｇ），青（Ｂ）の三原色に色分けされた蛍光体層７が形成されて、この三原色が行方向に順に並ぶように配列されている。
【００２７】
そして、当該放電空間内には、例えばキセノン（Ｘｅ）ガスを含む放電ガスが封入されている。
【００２８】
次に、本実施例のパネル構造において、どのようにして選択的に放電発光が行われるか、及び、どのようにして放電発光の制御（抑制）が行われるかについて、その様子を図６に基づいて模式的に説明する。図６は、図２〜図５に示す断面図と同様であり、ここでは図２における直線Ａ１−Ａ１と直線Ｂ１−Ｂ１が交わっている位置にある放電セルを選択して発光させて表示を行っている場合について説明する。
【００２９】
図６に示すように、背面基板４の選択した放電セルの列電極Ｄにはアドレス電圧Ｖadr（例えば、０Ｖ）が印加され、選択されない放電セルの列電極には放電禁止電圧Ｖphbが印加される。この場合、当該選択した放電セル以外のセルでは放電空間に拡がろうとすると電子が列電極側からの反発力で押し戻され、グロー放電が抑制されている。そのため、放電空間内ではグロー放電が発生できないか、グロー放電が発生しても、その発光強度は極めて微弱なものとなる。
【００３０】
すなわち、アドレス電圧Ｖadr＝Ｖphb（放電禁止電圧）である場合に当該放電セルの放電は禁止される。
【００３１】
さらに、放電セルの輝度は、上記サスティン放電期間中の列電極電位、すなわちアドレス電圧Ｖadrの大小で制御される。より詳細には、列電極電位が０Ｖ付近で放電電流は最大となり、列電極電位が負極性でその絶対値が大きいと、同じサスティン電圧でも、電子の進入領域が抑制され、放電電流や発光効率が低くなる。また、列電極電位が正極性でその絶対値が大きくても、今度はイオンの進入領域が抑制され、放電電流や、発光効率が小さくなる。従って、アドレス電圧Ｖadrを調整することによって輝度調整を行うことができる。また、このような輝度調整を各ＲＧＢについて行うことで色合いの調整を行うことができる。
【００３２】
なお、以下においては、放電禁止電圧Ｖphbが−１９０Ｖであるとして説明する。従って、アドレス電圧Ｖadrとして、Ｖadr＝０ＶないしＶadr＝Ｖphb（放電禁止電圧：−１９０Ｖ）の間の電圧である放電調整電圧（Ｖadr＝Ｖcnt）を用いることによって輝度調整を行うことができる。
【００３３】
また、放電禁止電圧Ｖphb、放電調整電圧Ｖcntその他の電圧値は例示に過ぎない。すなわち、パネル構造、放電セルのサイズ、形状、放電セル間の間隔、用いられる材料等の種々の要因で変わり得るものである。
【００３４】
一方、選択した放電セル内では、このような反発力はなく、選択セルから、隣の非選択セルに広がろうとする電子に対して、電界により電子を収束させるいわゆる電子レンズ効果による押し戻し作用が働いている。
【００３５】
さらに、隣り合う２つの放電セルが同時に選択された場合には、放電セル間の縦隔壁がないので、２つの放電セルの放電プラズマが結合して放電空間の断面積が約２倍となり、発光効率が改善される。
【００３６】
一方、本実施形態で示したような放電制御方法を行わない場合には、時間の経過と共に、行方向に並ぶ放電セル同士間で放電の干渉が生じ、しだいに放電セルの選択性が失われてしまう。それに対して上記した放電制御方法を用いた場合には、非選択放電セルの列電極には、そのセルの輝度に応じて、あるタイミングで例えば負の放電禁止電圧が印加され、そのセルに放電電圧が印加されていても、その放電が抑制され時間が経過しても、放電が時間経過とともに拡がってしまうことがなく、時間経過に対しても安定である。
【００３７】
図７は、本実施例のプラズマディスプレイ及びその駆動部を示す模式図である。より詳細には、列電極駆動回路２１２に接続された列電極Ｄ１〜Ｄｍと行電極駆動回路２１０に接続された行電極対Ｘ１〜Ｘｎ，Ｙ１〜Ｙｎを備えるプラズマディスプレイのパネル本体１２０を駆動する駆動装置の構成の一例である。
【００３８】
プラズマディスプレイでは、放電が行われる行電極対を線表示で切換え走査すると共に、この走査に同期して背面基板側の列電極Ｄ１〜Ｄｍに画像信号をそれぞれ印加することにより表示駆動が行われる。行電極対間に放電が発生する行方向に広がる内部はほぼ一様の電位になり、１行の放電セル毎に発光部の選択が行われる。一組の行電極対は走査線１ライン分に対応する。行電極の電圧印加状態で各列電極に画像信号（アドレス電圧）が印加されると、サンプリングが行われ発光部の階調（明暗の輝度レベル）が制御できる。このように、画像信号に応じて画像表示を行う。ここでＲＧＢ画像信号を順次供給し、表示していない色の列電極に放電禁止電圧Ｖphbを印加する。
【００３９】
プラズマディスプレイ装置は少なくともパネル本体１２０、列電極駆動回路２１２、行電極駆動回路２１０及び読出タイミング信号発生回路２０７を備えている。パネル本体１２０は行電極対Ｘ，Ｙを有し、逐次放電して放電セルを線表示で走査する。各行電極対は一対の放電電極の複数を備えており、行電極駆動回路２１０によって駆動される。行電極駆動回路２１０は各行電極対の放電電極に駆動パルスを印加して放電セルの走査を行う。列電極駆動回路２１２は前述した行電極対Ｘ，Ｙの線表示走査に同期して画像信号を各列電極に印加し、列電極Ｄ１〜Ｄｍの１つと行電極対の１つとの交差部に放電セルＣｉｊを形成する。なお、読出タイミング信号発生回路２０７は列電極駆動回路２１２と行電極駆動回路２１０の同期制御を行う。
【００４０】
図７において、同期分離回路２０１は、供給された入力ビデオ信号中から水平及び垂直同期信号を抽出してこれらをタイミングパルス発生回路２０２に供給する。タイミングパルス発生回路２０２は、これら抽出された水平及び垂直同期信号に基づいた抽出同期信号タイミングパルスを発生してこれをアナログ／デジタル（Ａ／Ｄ）変換器２０３、メモリ制御回路２０５及び読出タイミング信号発生回路２０７の各々に供給する。Ａ／Ｄ変換器２０３は、上記抽出同期信号タイミングパルスに同期して入力ビデオ信号を１画素毎に対応したディジタル画素データに変換し、これをフレームメモリ２０４に供給する。メモリ制御回路２０５は、上記抽出同期信号タイミングパルスに同期した書込信号及び読出信号をフレームメモリ２０４に供給する。フレームメモリ２０４は、書込信号に応じて、Ａ／Ｄ変換器２０３から供給された各画素データを順次取り込む。また、フレームメモリ２０４は、読出信号に応じて、このフレームメモリ２０４内に記憶されている画素データを順次読み出して次段の出力処理回路２０６へ供給する。読出タイミング信号発生回路２０７は、放電発光動作を制御するための各種タイミング信号を発生してこれらを行電極駆動回路２１０及び出力処理回路２０６の各々に供給する。出力処理回路２０６は、読出しタイミング信号発生回路２０７からのタイミング信号に同期させて、フレームメモリ２０４から供給された画素データを列電極駆動回路２１２に供給する。
【００４１】
列電極駆動回路２１２は、出力処理回路２０６から供給される各画素データに応じた画素データパルス（アドレス電圧及び放電禁止電圧Ｖphb）を発生してパネル本体１２０の列電極Ｄ１〜Ｄｍに印加する。
【００４２】
行電極駆動回路２１０は、パネル本体１２０の全ての行電極対間で、予備放電を行うための予備放電パルス、荷電粒子を再形成するためのプライミングパルス、データ書き込み時の放電を安定させるリセットパルス、放電を維持するためのサスティンパルス、更に維持発光放電を停止するための消去パルス、などを生成できる。行電極駆動回路２１０は、これらのパルスを上記読出タイミング信号発生回路２０７から供給される各種のタイミング信号に応じたタイミングにてパネル本体１２０の行電極Ｘ１〜Ｘｎ，Ｙ１〜Ｙｎに印加する。
【００４３】
ここで注意すべきことは、行電極駆動回路２１０は、行放電空間毎の行電極にサスティンパルスを印加して放電を線順次走査にて生じせしめる機能を有することと、列電極駆動回路２１２が放電を禁止する放電禁止電位を列電極に選択的に印加する機能を有することである。
【００４４】
行電極駆動回路２１０は、行電極Ｘ１〜Ｘｎへの第１サスティンパルスを生成するＸドライバを、行電極Ｙ１〜Ｙｎへの第１サスティンパルスとは逆位相の第２サスティンパルスを生成するＹドライバを含んでいる。
【００４５】
次に本実施形態のプラズマディスプレイパネルの駆動方法について説明する。
【００４６】
図８に本実施例の面放電交流型プラズマディスプレイパネル表示装置のタイミングチャートを示す。行電極は上から順にＸ１，Ｙ１，Ｘ２，Ｙ２・・・、（最終行Ｘｎ，Ｙｎまで）として示されている。図８において、これらの電極に印加される駆動電圧波形は、対応する電極の右側に示されている。ここで、図は行電極の対ごとにパルスを印加した場合の駆動波形を示している。
【００４７】
まず、リセット放電期間（リセットステップ）中では全ての行で同時に行電極対の行電極間に矩形及び漸次変化する逆極性のリセットパルスを印加して、リセット放電によって全てのセルの初期化を行う。次に線順次サスティン放電期間（以下、単に線順次放電期間という。）において、行電極の対（Ｘ１，Ｙ１）〜（Ｘｎ，Ｙｎ）にサスティンパルスを順次印加してサスティン放電を線順次走査にて生じせしめる。行電極対の各行電極に印加されるパルス駆動波形は、互いに位相が１８０度ずれている。
【００４８】
また、一組の行電極対において、どちらか一方のみに電圧パルスが印加された場合には放電は発生しない。両者に同時に電圧が印加されるとその期間だけ放電が発生する。
【００４９】
図９は、説明及び理解の容易さのため、第１表示ラインに対応する行電極対Ｘ１，Ｙ１に着目し、その駆動動作を示したものである。また、図８に示す場合においては、各表示ラインのサスティン期間（表示期間）は、パルス印加の順に第１〜第８サスティンパルス印加期間（ＳＰ１〜ＳＰ８）からなるように構成されている。なお、以下においては、説明及び理解の容易さのため、第１〜第８サスティンパルス印加期間に印加されるサスティンパルスの各々についても当該印加期間と同一の符号（ＳＰ１〜ＳＰ８）を用いて説明する。
【００５０】
図８に示すように、まず、サスティン期間（ＳＰ１〜ＳＰ８）において行電極Ｘ１に正極性及び負極性の間で交互に変化するサスティンパルス列が印加される。これに同期して行電極Ｙ１にも交互に変化するパルス列が印加される。なお、後述するように、行電極Ｘ１及びＹ１に印加されるパルス列の極性は反対、すなわち互いに逆位相の波形になっている。これに合わせて、列電極Ｄ１〜Ｄｍのそれぞれに所定の画像データ信号（アドレス電圧Ｖadr）を印加することで、当該データ信号に応じた輝度で第１行（第１表示ライン）のセルが発光し、表示が行われる（表示期間DIS-1）。
【００５１】
次に、行電極Ｘ１は接地電位（０Ｖ）になるので、第１表示ラインを構成する第１行セルでは消光するが、サスティンパルス列が印加されている行電極Ｙ１と次の行電極Ｘ２の行電極対（第２表示ライン）において２番目の放電電位が生成され、これに合わせて、列電極Ｄ１〜Ｄｍのそれぞれに所定の画像信号（アドレス電圧Ｖadr）を印加することで、当該データ信号に応じた輝度で第２行（第２表示ライン）のセルが発光し、表示が行われる（表示期間DIS-2）。
【００５２】
次に、同様にして行電極対Ｘ２、Ｙ２の第３行（第３表示ライン）のセルが発光する。なお、行電極Ｘ及び行電極Ｙ共に隣接する行電極対間にまたがって（共用して）いるが、本駆動により実際に放電するのは行電極の片側のみであり、順次走査することが可能となる。
【００５３】
換言すると、各行のサスティン放電は線順次に行われ、表示は線順次にされる。従来のプラズマディスプレイパネルの駆動法におけるスキャン動作に相当するところが、サスティン動作に置き換わっている。従来のプラズマディスプレイパネルの駆動法においてスキャンパルスは一回であるが、本実施形態のサスティンパルスの数は１ないし１０回程度であり、１行の表示期間だけ継続する。
【００５４】
さらに詳述すると、図８及び図９に示すように、サスティンパルスは正電圧値及び負電圧値の間で交互に繰り返す交流波形となっていて、選択した放電セルの上側の行電極（第１電極）Ｘj（又はＹj）と選択した放電セルの下側の行電極（第２電極）Ｙj（又はＸj+1）とでは互いに逆位相の波形になっている。
【００５５】
さらに、図９を参照し、行電極対Ｘ１，Ｙ１についての放電（表示）駆動動作について詳細に説明する。行電極Ｘ１への印加パルス列の電圧はその振幅値（包絡線）が、サスティンパルスごとに単調に減少するように構成されている。具体的には、第１印加期間（ＳＰ１）における電圧＋Ｖ1x（例えば、＋１００Ｖ）から第８印加期間（ＳＰ８）における電圧＋Ｖ8x（例えば、−７０Ｖ）まで、その絶対値が単調に減少している。同様に、行電極Ｙ１への印加パルス列の電圧についても、第１パルス印加期間（ＳＰ１）における電圧−Ｖ1y（例えば、−１００Ｖ）から第８パルス印加期間（ＳＰ８）における電圧＋Ｖ8y（例えば、＋７０Ｖ）まで、その絶対値が単調に減少している。なお、第ｋサスティンパルス印加期間（ＳＰk）において、行電極対Ｘ１，Ｙ１に印加されるパルスの電圧（逆極性）の絶対値が同一である場合（すなわち、｜Ｖkx｜＝｜Ｖky｜）を例に示している。
【００５６】
また、第ｋサスティンパルス印加期間（ＳＰk）において、一般に、上側の行電極（第１電極）及び下側の行電極（第２電極）に印加されるパルスの電圧（逆極性）の絶対値が同一である場合、電圧値｜＋Ｖ｜＋｜−Ｖ｜が放電開始電圧Ｖｆより高くなるように設定され、電圧値｜＋Ｖ｜、｜−Ｖ｜単独では放電開始電圧Ｖｆよりも低くなるように設定される。これにより、選択した放電セル間にだけ放電電圧Ｖｆ＝｜＋Ｖ｜＋｜−Ｖ｜が印加され、隣接した非選択放電セルには電圧値｜＋Ｖ｜または｜−Ｖ｜の電圧しか、印加されないので、上下隣接セルが非選択のときは、放電が起こらないように制御できる。よって、選択表示ラインの上又は下に隣接するセルが、非選択の場合には放電開始電圧に達しないため、当該上下セルを区別して選択することが可能である。
【００５７】
上記したように、行電極対Ｘ，Ｙへの電圧は逆極性となるため、当該行電極対への印加パルスの電圧はそれぞれの絶対値の和である。従って、行電極対への印加電圧の絶対値（振幅）が単調に減少するように構成されている。
【００５８】
また、上記した場合では、最終サスティンパルス（ＳＰ８）による行電極対への印加電圧の絶対値は｜２Ｖ8y｜（＝１４０Ｖ）となるが、当該電圧は放電開始電圧Ｖｆより大きい。しかしながら、後述するように、暗輝度での階調制御を高精度に行うため、当該最終サスティンパルスによる行電極対への印加電圧の絶対値は放電開始電圧Ｖｆ近傍の値であることが好ましい。あるいは、当該行電極対への印加パルスの電圧の振幅は放電開始電圧以下まで単調減少していることが好ましい。
【００５９】
ここで、上記のように、サスティンパルスの印加電圧を変化させる理由について以下に説明する。
【００６０】
ディスプレイの輝度は、各サスティンパルス電圧を等しくした場合には、サスティンパルスの数にほぼ比例する。図１０は、サスティンパルス電圧値が等しい場合のサスティンパルス数に対する輝度（放電強度）を示す図であり、本実施例との比較例として示している。
【００６１】
すなわち、第８サスティンパルス（ＳＰ８）のみを印加した場合、第７及び第８サスティンパルス（ＳＰ７，ＳＰ８）を印加した場合、・・・、第１乃至第８サスティンパルス（ＳＰ１〜ＳＰ８）を印加した場合の放電セルの輝度（放電強度）を示している。最初の１〜２パルスによる放電時では、壁電荷の形成が少ない場合には放電強度が弱くなることがあるが、輝度はサスティンパルス数の増大にほぼ比例して増大する。
【００６２】
ディスプレイの階調はサスティンパルス数に応じて制御でき、サスティンパルス数を増やすことで表現可能な輝度（階調）の範囲は拡大する。しかしながら、ディスプレイの表示精細度等により線順次走査に充てられる時間は限られるため、サスティンパルス数の増大には制限がある。
【００６３】
また、ディスプレイの輝度特性は、人間の目の明るさに対する感度を考慮すると、階調表示における明輝度領域での輝度ステップを大きくし、暗輝度領域においては輝度ステップを小さくすることによってダイナミックレンジのより広い輝度範囲を表現でき、高いコントラストが視覚的に得られる。このようにすれば、単にサスティンパルス電圧を増大させて放電強度を増大させるのではないため、消費電力を抑えつつ広輝度範囲、高コントラストの表示を行うことが可能となる。
【００６４】
本実施例においては、サスティンパルスの電圧の振幅値（包絡線）が単調に減少するようにしているので、図１１に示すように、サスティンパルス数を増大させるに従い、放電セルの輝度（放電強度）はスーパーリニア（下に凸）に増大する。
【００６５】
前述のように、さらに、放電セルの輝度の調整は上記サスティン期間中の列電極電位（アドレス電位Ｖadr）で制御することができる。また、列電極Ｄへ放電禁止電圧Ｖphbを印加することによってその放電セルの放電を禁止することができる。
【００６６】
再び、図９を参照すると、サスティン期間（ＳＰ１〜ＳＰ８）において、第１乃至第５サスティンパルスが印加される期間（ＳＰ１〜ＳＰ５）、すなわち第１サスティン期間では、列電極Ｄ１には放電禁止電圧Ｖphb（−１９０Ｖ）が印加され、当該第１サスティン期間では放電が禁止される。一方、第６乃至第８サスティンパルスが印加される期間（ＳＰ６〜ＳＰ８）、すなわち第２サスティン期間では、列電極Ｄ１は接地電位（０Ｖ）にされ、当該第２サスティン期間において、放電がなされる。
【００６７】
上記したように、サスティンパルス電圧の振幅値が単調に減少するようにしているので、第２サスティン期間（ＳＰ６〜ＳＰ８）における放電強度（輝度）は、図１１に示すように、従来技術よりもより低階調（暗輝度）を表示することが可能である。
【００６８】
また、上記サスティン期間に後続するサスティン期間では、当該サスティン期間の全期間において列電極Ｄ１には、放電が抑制されない０Ｖの電圧（アドレス電圧Ｖadr）が印加され、図１１に示す最も高い強度（輝度）が得られ、従来技術よりもより高階調（明輝度）を表示することが可能となる。
【００６９】
図１２は、図８に示す各行電極及び列電極へのパルス印加のタイミングチャートに対応する図であり、第１〜第３行（Ｌ１〜Ｌ３）、第１〜第３列（Ｃ１〜Ｃ３）の各放電セル（Ｌ１Ｃ１〜Ｌ３Ｃ３）の輝度を模式的に示している。図において、暗輝度（非放電）をＬ、低輝度をＭ、高輝度をＨで示している。
【００７０】
上記したように、第１サスティン期間において放電が禁止され、第２サスティン期間において放電がなされる放電セル（Ｌ１Ｃ１，Ｌ１Ｃ３等）は低輝度Ｍであり、サスティン期間の全期間においてアドレス電圧Ｖadr＝０Ｖが印加される放電セル（Ｌ２Ｃ１，Ｌ１Ｃ２等）は高輝度Ｈであり、サスティン期間の全期間において放電が禁止される放電セル（Ｌ２Ｃ２）は非放電Ｌである。
【００７１】
なお、上記においては、サスティンパルス電圧の振幅値を各サスティンパルス毎に単調に減少させる場合について説明したが、これに限らない。サスティンパルスのｐ個（ｐは整数）ごとに電圧値を変えてもよい。図１３はその一例を示し、第１，２サスティンパルス（ＳＰ１，ＳＰ２）では同一の電圧値（Ｖ1x又は−Ｖ1x）とし、同様に、第３，４サスティンパルス（ＳＰ３，ＳＰ４），・・・，第７，８サスティンパルス（ＳＰ７，ＳＰ８）というように、サスティンパルスの２個ごとに電圧値を変えてもよい。
【００７２】
また、第１サスティン期間及び第２サスティン期間は、データ信号に応じ、あるいは所望の階調制御範囲に基づいて、適宜定めることができる。尚、図１３はその一例を示し、第１サスティン期間として第１乃至第４サスティンパルスが印加される期間（ＳＰ１〜ＳＰ４）を、残りの期間（ＳＰ５〜ＳＰ８）を第２サスティン期間として定めた場合を示している。また、データ信号によっては第１サスティン期間及び／又は第２サスティン期間はその期間がゼロ（当該期間が設けられていない）であってもよい。
【００７３】
さらに、第２サスティン期間を更に複数のサスティン期間に分割しても良い。この場合、列電極Ｄに印加するアドレス電圧Ｖadrを当該複数のサスティン期間の各々において変化させるようにしてもよい。
【実施例２】
【００７４】
上記実施例においては、サスティン期間において列電極へのアドレス電圧Ｖadrを接地電位（０Ｖ）とした場合について説明した。この場合、列電極電位（０Ｖ）によって電子やイオンには反発力等の影響が生じず、放電電流及び発光効率が最大となる。
【００７５】
一方、前述のように、列電極電位を調整することで輝度調整を行うことができる。図１４は、図１１と同様な図であるが、アドレス電圧Ｖadrを変化させた場合の輝度変化を示している。すなわち、アドレス電圧Ｖadrによって輝度（放電強度）を低減させ、異なるサスティンパルス数間における輝度を低減し、あるいは無くして連続的な輝度調整を行うことができる。
【００７６】
例えば、第１〜第８サスティンパルス（ＳＰ１〜ＳＰ８）印加によって輝度は最大（Ｖadr＝０Ｖ）となるが、アドレス電圧を変化させる（Ｖadr＝−１００Ｖ）ことによって、第１〜第７サスティンパルス（ＳＰ１〜ＳＰ７）印加の場合の輝度と同一の輝度に低減させることができる。なお、さらに負の大きなアドレス電圧によりさらに輝度を低減させることができる（例えば、Ｖadr＝−１２０Ｖ）。従って、データ信号に応じたアドレス電圧Ｖadr（放電調整電圧Ｖadr＝Ｖcnt）を調整することによって更に高精度に輝度調整を行うことができる。
【００７７】
図１５は、かかるアドレス電圧Ｖadrによる輝度調整を行う場合のタイミングチャートを示している。例えば、第１表示ライン（行電極Ｘ１，Ｙ１）の第１列（列電極Ｄ１）では、第２サスティン期間においてデータ信号に基づいてアドレス電圧をＶadr＝−６０Ｖとしている。また、同表示ラインの第２列（列電極Ｄ２）では、データ信号に基づいて全サスティン期間においてアドレス電圧をＶadr＝−４０Ｖとしている。従って、上記した実施例（図８参照）よりもさらに高精度に輝度制御を行うことができる。
【００７８】
以上、詳細に説明したように、人間の視覚特性（明るさに対する感度）に応じた、高精度な輝度制御を行うことができる。すなわち、階調表示における明輝度領域での輝度ステップを大きくし、暗輝度領域においては輝度ステップを小さくすることによってダイナミックレンジのより広い輝度範囲を表現でき、高いコントラストが視覚的に得られる。さらに、消費電力を抑えつつ広輝度範囲、高コントラストの表示を行うことが可能となる。従って、ディスプレイの高精細化に適したディスプレイパネルの駆動方法を提供することができる。
【００７９】
なお、上記した駆動法では、リセット放電を全ての行で同時に行っているが、他の実施形態では、これを各行ごとに、サスティン放電発光の直前に行ってもよい、リセット放電を直前に行うことにより放電遅れを防止できる。
【００８０】
さらに、本実施形態のパネル構造はＡＣ放電型プラズマディスプレイパネルだけでなく、ＤＣ型プラズマディスプレイパネルに対しても適用することができる。
【００８１】
上記した実施例は適宜組み合わせて適用することができる。また、上記した実施例において示した数値等は例示に過ぎない。
【図面の簡単な説明】
【００８２】
【図１】従来の面放電交流型プラズマディスプレイパネルを説明するために前面基板と背面基板に分解した分解斜視図である。
【図２】本発明による実施形態の面放電交流型プラズマディスプレイパネルの構成を模式的に表す斜視図である。
【図３】本発明による実施形態の面放電交流型プラズマディスプレイパネルの構成を説明するために前面基板と背面基板に分解した分解斜視図である。
【図４】図２のＡ１−Ａ１線における断面図である。
【図５】図２のＢ１−Ｂ１線における断面図である。
【図６】図２のＡ１−Ａ１線における断面図である。
【図７】本実施例のプラズマディスプレイ及びその駆動部を示す模式図である。
【図８】本実施例の面放電交流型プラズマディスプレイパネル表示装置のタイミングチャートである。
【図９】図８に対応し、第１表示ラインに対応する行電極対Ｘ１，Ｙ１及び列電極Ｄ１の駆動電圧、及び第１、第２サスティン期間を示す模式図である。
【図１０】サスティンパルス電圧値が等しい場合のサスティンパルス数に対する輝度（放電強度）を示す図であり、本実施例との比較例である。
【図１１】本実施例における、サスティンパルスの電圧の振幅が単調に減少する場合の放電セルの輝度（放電強度）を示す図である。
【図１２】図８に示す各行電極及び列電極へのパルス印加のタイミングチャートに対応する図であり、第１〜第３行（Ｌ１〜Ｌ３）、第１〜第３列（Ｃ１〜Ｃ３）の各放電セル（Ｌ１Ｃ１〜Ｌ３Ｃ３）の輝度を模式的に示している。
【図１３】サスティンパルス電圧の振幅をサスティンパルスのＮ個（Ｎは整数）ごとに電圧値を変える場合の一例を示している。
【図１４】図１１と同様な図であるが、アドレス電圧Ｖadrを変化させた場合の輝度変化を示している。
【図１５】列電極に印加されるアドレス電圧Ｖadrによる輝度調整を行う場合のタイミングチャートである。
【符号の説明】
【００８３】
１  前面基板
２  誘電体層
２Ａ  誘電体突出部
３  保護層
４  背面基板
５  列電極保護層
７  蛍光体層
１５Ａ  縦壁
１６  横隔壁
１２０  パネル本体
２０１  同期分離回路
２０２  タイミングパルス発生回路
２０３  Ａ／Ｄ変換器
２０４  フレームメモリ
２０５  メモリ制御回路
２０６  出力処理回路
２０７  読出タイミング信号発生回路
２１０  行電極駆動回路
２１２  列電極駆動回路
Ｄ  列電極
Ｘ，Ｙ  行電極
Ｋｂ  共通バス電極部
Ｋａ  透明電極部
【図１】
2008197174.tif 000003
【図２】
2008197174.tif 000004
【図３】
2008197174.tif 000005
【図４】
2008197174.tif 000006
【図５】
2008197174.tif 000007
【図６】
2008197174.tif 000008
【図７】
2008197174.tif 000009
【図８】
2008197174.tif 000010
【図９】
2008197174.tif 000011
【図１０】
2008197174.tif 000012
【図１１】
2008197174.tif 000013
【図１２】
2008197174.tif 000014
【図１３】
2008197174.tif 000015
【図１４】
2008197174.tif 000016
【図１５】
2008197174.tif 000017